(57)【要約】【課題】セグメントメタデータ制作作業の重複やセグメントメタデータ制作作業の欠落が発生せずに複数のセグメントメタデータを制作することが可能なセグメントメタデータ制作管理サーバー及びセグメントメタデータ制作システムを提供する。【解決手段】セグメントメタデータの制作に関わる情報を入力する入力部１３０と、発生順序を特定する情報に基づいて、制作対象のセグメントメタデータを時系列に配列可能なセグメントメタデータと、不定期に発生するセグメントメタデータとに分類し、分類した時系列に配列可能なセグメントメタデータを、過去の制作履歴情報や入力した情報に基づいて、制作または確認・修正するセグメントメタデータとして制作者ごとに割り当てるセグメントメタデータ制作管理部１００とを備える。【選択図】  図１
2007074376.tif 000002
【特許請求の範囲】
【請求項１】
セグメントメタデータの制作、確認または修正の対象となる番組毎に番組の種別、制作予定の前記セグメントメタデータ、前記セグメントメタデータの制作担当者、制作端末および番組構成情報を入力する入力手段と、
発生順序を特定する情報に基づいて、制作対象の前記セグメントメタデータを時系列に配列可能な配列型セグメントメタデータと、不定期に発生するイベント型セグメントメタデータとに分類し、分類された前記配列型セグメントメタデータを、過去の制作履歴情報、制作人数及び制作担当者情報を含む前記セグメントメタデータの制作に関わる情報に基づいて、制作、確認または修正する前記セグメントメタデータとして制作者ごとに割り当てる担当割り当て手段と、
割り当てられた前記配列型セグメントメタデータと、前記イベント型セグメントメタデータとを、前記セグメントメタデータの制作、確認または修正を行うセグメントメタデータ制作・確認・修正端末へ通知する通知手段と、を備えたことを特徴とするセグメントメタデータ制作管理サーバ。
【請求項２】
前記担当割り当て手段は、前記セグメントメタデータ制作・確認・修正端末から制作、確認または修正の完了通知を受信した後、制作済み、確認済みまたは修正済みのセグメントメタデータを除いた残りのセグメントメタデータを再割り当てすることを特徴とする請求項１記載のセグメントメタデータ制作管理サーバ。
【請求項３】
前記発生順序を特定する情報は、番組制作時に使用する台本の情報であることを特徴とする請求項１又は２記載のセグメントメタデータ制作管理サーバ。
【請求項４】
前記発生順序を特定する情報は、スポーツのルールに関わる情報であることを特徴とする請求項１又は２記載のセグメントメタデータ制作管理サーバ。
【請求項５】
請求項1から４のいずれか一項記載のセグメントメタデータ制作管理サーバと、
前記セグメントメタデータ制作管理サーバとネットワークを介して接続され、
制作、確認または修正するセグメントメタデータを、前記配列型セグメントメタデータと、前記イベント型セグメントメタデータとに分類して表示する表示手段、
表示されているセグメントメタデータを選択して新しいセグメントメタデータを制作する入力手段、および、
新しいセグメントメタデータの制作開始時及び制作完了時に前記セグメントメタデータ制作管理サーバへその旨を通知する通知手段を有するセグメントメタデータ制作・確認・修正端末と、で構成されることを特徴とするセグメントメタデータ制作システム。
【発明の詳細な説明】
【技術分野】
【０００１】
本発明は、放送される映像の区間に関する情報を記述したセグメントメタデータの制作を複数の制作者で分担して制作するセグメントメタデータ制作管理サーバ及びセグメントメタデータ制作システムに関する。
【背景技術】
【０００２】
近々に放送開始が予定されているサーバ型放送では、放送された映像や情報、及び通信により取得した映像や情報が受信機に蓄積され、蓄積した映像や情報を活用するためのサービスが各種提供される。この各種提供されるサービスの１つに、映像の区間に関する情報であるセグメントメタデータを利用して、蓄積された映像の一部区間のみを視聴したり、番組の見所のみを抽出してダイジェスト視聴を行うことができるものがある。
【０００３】
従来、セグメントメタデータを自動的に生成する方法として、映像や音声などの自動認識技術を用いる方法（例えば、特許文献１参照）や、番組構成表と映像のスイッチング情報を用いる方法（例えば、非特許文献１参照）などが提案されている。
【特許文献１】特許公開２００４−８６１２４
【非特許文献１】高林和彦，加井謙二郎：「映像スイッチング情報のメタデータとしての活用に関する検討」，２００１年映像情報メディア学会  年次大会  ２００１年８月
【発明の開示】
【発明が解決しようとする課題】
【０００４】
しかしながら、自動認識技術を用いてセグメントメタデータを生成する上記従来の方法では、音声認識が適切に行われない場合、セグメントメタデータを高い精度で抽出することができないことがあった。また、番組構成表や映像のスイッチング情報を用いてセグメントメタデータを生成する上記従来の方法では、番組構成表に関連しない観点でセグメントメタデータを生成することができなかった。
【０００５】
そのため、従来は、映像を参照しながら制作者が手作業でセグメントメタデータを制作したり、自動認識技術による方法や番組構成表と映像のスイッチング情報を用いる方法で制作されたセグメントメタデータについて、制作者が確認や修正を行ったりすることが必要であった。
【０００６】
ところで、番組によっては、1つの番組内で制作したり、確認及び修正したりするセグメントメタデータ数が多いものもあり、その場合は作業を１人で行うことが困難となる。特に、リアルタイムでセグメントメタデータを制作したり、確認・修正したりする場合には、複数の制作者で作業を分担しなければならず、セグメントメタデータの制作や確認・修正作業において重複や欠落が発生する可能性があった。
【０００７】
また、セグメントメタデータは、従来の映像・音声の編集や字幕の制作とは異なり、1つの映像区間が複数のセグメントメタデータに含まれることもあり、そのような場合には、単純に番組を制作者の人数で時分割すると、特定のタイミングで特定の制作者の負荷が高くなったり、逆に特定の制作者の負荷が低くなったりするなどの不均衡が生じることがあった。
【０００８】
本発明は、上記従来の事情に鑑みてなされたものであって、重複や欠落を生じることなく、複数のセグメントメタデータを複数の担当者が制作または確認・修正することが可能なセグメントメタデータ制作管理サーバ及びセグメントメタデータ制作システムを提供することを目的とする。
【課題を解決するための手段】
【０００９】
本発明のセグメントメタデータ制作管理サーバは、セグメントメタデータの制作、確認または修正の対象となる番組毎に番組の種別、制作予定の前記セグメントメタデータ、前記セグメントメタデータの制作担当者、制作端末および番組構成情報を入力する入力手段と、
発生順序を特定する情報に基づいて、制作対象の前記セグメントメタデータを時系列に配列可能な配列型セグメントメタデータと、不定期に発生するイベント型セグメントメタデータとに分類し、分類された前記配列型セグメントメタデータを、過去の制作履歴情報、制作人数及び制作担当者情報を含む前記セグメントメタデータの制作に関わる情報に基づいて、制作、確認または修正する前記セグメントメタデータとして制作者ごとに割り当てる担当割り当て手段と、
割り当てられた前記配列型セグメントメタデータと、前記イベント型セグメントメタデータとを、前記セグメントメタデータの制作、確認または修正を行うセグメントメタデータ制作・確認・修正端末へ通知する通知手段と、を備えたことを特徴とする。この構成によれば、時系列で順番に制作できるセグメントメタデータを、過去の制作履歴情報に基づいて、設定された制作担当者に適切に割り当てることができるので、重複や欠落を生じることなく、複数のセグメントメタデータを複数の担当者で並行して制作、確認または修正することができる。
【００１０】
また、本発明のセグメントメタデータ制作管理サーバは、前記担当割り当て手段が、前記セグメントメタデータ制作・確認・修正端末から制作、確認または修正の完了通知を受信した後、制作済み、確認済みまたは修正済みのセグメントメタデータを除いた残りのセグメントメタデータを再割り当てすることを特徴とする。この構成によれば、残りのセグメントメタデータを、順次、設定された制作担当者に適切に割り当てることができるので、重複や欠落を生じることなく、複数のセグメントメタデータを複数の担当者で効率的に制作、確認・修正することができる。
【００１１】
また、本発明のセグメントメタデータ制作管理サーバは、前記発生順序を特定する情報が、番組制作時に使用する台本の情報であることを特徴とする。この構成によれば、台本情報に基づいて、制作予定のセグメントメタデータを時系列の順番に的確に整理することができ、従って、複数のセグメントメタデータを複数の担当者に効率的に制作、確認・修正させることができる。
【００１２】
また、本発明のセグメントメタデータ制作管理サーバは、前記発生順序を特定する情報が、スポーツのルールに関わる情報であることを特徴とする。この構成によれば、ルール情報に基づいて、制作予定のセグメントメタデータを時系列の順番に的確に整理することができ、従って、複数のセグメントメタデータを複数の担当者に効率的に制作、確認・修正させることができる。
【００１３】
本発明のセグメントメタデータ制作システムは、本発明のセグメントメタデータ制作管理サーバと、前記セグメントメタデータ制作管理サーバとネットワークを介して接続され、制作、確認または修正するセグメントメタデータを、前記配列型セグメントメタデータと、前記イベント型セグメントメタデータとに分類して表示する表示手段、表示されているセグメントメタデータを選択して新しいセグメントメタデータを制作する入力手段、および、新しいセグメントメタデータの制作開始時及び制作完了時に前記セグメントメタデータ制作管理サーバへその旨を通知する通知手段を有するセグメントメタデータ制作・確認・修正端末と、で構成されることを特徴とする。この構成によれば、時系列で順番に制作できるセグメントメタデータを、過去の制作履歴情報に基づいて、設定された制作担当者に適切に割り当てることができ、また、割り当てられたセグメントメタデータの制作、確認または修正を複数のセグメントメタデータ制作・確認・修正端末で行うことができるので、重複や欠落を生じることなく、複数のセグメントメタデータを複数の担当者で制作、確認または修正することができる。
【発明の効果】
【００１４】
本発明によれば、セグメントメタデータの制作、確認または修正を複数の担当者が効率良く実行することができる。
【発明を実施するための最良の形態】
【００１５】
図１は、本発明の実施の形態におけるセグメントメタデータ制作システムの構成を示す図である。セグメントメタデータ制作システムは、セグメントメタデータ制作管理サーバ１０、セグメントメタデータ制作・確認・修正端末２０及びサーバと端末とを接続するＬＡＮ３０を備える。
【００１６】
セグメントメタデータ制作管理サーバ１０は、更に、セグメントメタデータ制作管理部１００、通信部１１０、データベース１２０、入力部１３０、などで構成される。セグメントメタデータ制作管理部１００は、更に、担当割り当て部１０１、通知部１０２を含む。
【００１７】
セグメントメタデータ制作管理部１００は、入力部１３０より入力されたセグメントメタデータ制作に関する情報１３１と、データベース１２０に格納されている過去の制作履歴情報などとに基づいて、制作予定のセグメントメタデータを、発生タイミングが特定可能なセグメントメタデータ（即ち、時系列に配列可能なセグメントメタデータ）と発生タイミングの特定が不可能なセグメントメタデータ（即ち、不定期に発生するセグメントメタデータ）とに分類する。更に、担当割り当て部１０１は、発生タイミングが特定可能なセグメントメタデータについて、それぞれどの制作担当者が、どのセグメントメタデータ制作・確認・修正端末で制作または確認・修正を行うかの割り当てを決定する。通知部１０２は、決定した割り当てを各セグメントメタデータ制作・確認・修正端末２０に通知する。
【００１８】
通信部１１０は、セグメントメタデータ制作・確認・修正端末２０と通信を行う。データベース１２０は、過去の制作履歴情報や後述する番組上のルールなどを蓄積する。
【００１９】
また、セグメントメタデータ制作・確認・修正端末２０は、複数のクライアント端末（図１の例では、クライアント端末２０ａ〜２０ｄ）で構成され、クライアント端末は、更に、表示部２００、入力部２１０、通知部２２０、などで構成される。
【００２０】
表示部２００は、制作または確認・修正を行うセグメントメタデータを表示する。入力部２１０は、セグメントメタデータの制作や確認・修正を行うための入力を行う。通知部２２０は、セグメントメタデータの制作または確認・修正の開始時や完了時にセグメントメタデータ制作管理サーバへの通知を行う。
【００２１】
図２は、本発明の実施の形態におけるセグメントメタデータ制作管理サーバの動作手順を示すフローチャートである。はじめに、セグメントメタデータ制作管理サーバ１０のセグメントメタデータ制作管理部１００に、セグメントメタデータ制作に関する情報、即ち、制作担当者・制作端末、番組の種別、制作予定のセグメントメタデータ、及び番組構成情報が入力部１３０より入力される（ステップＳ１００）。
【００２２】
ここで、番組構成情報とは、例えば、ニュース番組であれば、ニュース項目、項目の放送予定開始・終了時刻などの構成に関する情報であり、野球中継番組であれば、先発オーダー、先攻・後攻、控え選手、などの試合の構成に関する情報である。
【００２３】
次に、セグメントメタデータ制作管理部１００は、入力された上記セグメントメタデータ制作に関する情報に基づいて、データベース１２０に蓄積された過去の制作履歴情報と番組上のルール情報の中から、該当する過去の制作履歴情報と番組上のルール情報を取得する（ステップＳ１０１）。
【００２４】
ここで、番組上のルール情報とは、イベントの発生順序、即ち、セグメントメタデータの発生順序を特定する情報であり、例えば、野球中継番組の場合、野球の試合ルールに関する情報が該当する。従って、入力された「番組の種別」が野球である場合、野球に関する過去の制作履歴情報とルール情報が取得される。
【００２５】
図３は、データベース１２０に蓄積されている過去の制作履歴情報を概念的に示す図である。過去の制作履歴情報は、番組の種別、セグメントメタデータの制作内容、制作時間、制作担当者、セグメントメタデータの確認・修正時間、確認・修正担当者、などの情報で構成される。
【００２６】
次に、セグメントメタデータ制作管理部１００は、番組の種別、番組構成情報、番組上のルール情報に基づいて、入力した制作予定のセグメントメタデータが、発生タイミングの特定可能なセグメントメタデータであるか否かを判断する（ステップＳ１０２）。
【００２７】
発生タイミングが特定可能なセグメントメタデータである場合は「順序型セグメントメタデータ」として管理し（ステップＳ１０３）、発生タイミングが特定できないセグメントメタデータである場合は、「イベント型セグメントメタデータ」として管理する（ステップＳ１０４）。
【００２８】
更に、制作予定のセグメントメタデータについて、それが確認・修正作業を必要とするセグメントメタデータであるか否かを判断し（ステップＳ１０５）、確認・修正作業が必要な場合は「確認・修正セグメントメタデータ」として管理する（ステップＳ１０６）。
【００２９】
次に、セグメントメタデータ制作管理部１００は、セグメントメタデータ制作開始通知の受信の有無を判断し（ステップＳ１０７）、開始通知を受信した場合、各セグメントメタデータ制作・確認・修正端末へその旨を通知する（ステップＳ１０８）。また、セグメントメタデータ制作管理部１００の担当割り当て部１０１は過去の制作履歴情報に基づいて、順序型セグメントメタデータの制作または確認・修正に要する予定時間を演算し、演算結果に基づいてそれぞれの制作担当者が担当するセグメントメタデータの割り当てを決定する。制作または確認・修正するセグメントメタデータは制作担当者ごとにリスト化される（ステップＳ１０９）。
【００３０】
ここで、セグメントメタデータを担当者ごとに割り当てる処理について具体的に説明する。
【００３１】
上記の野球の例で説明すると、はじめに、制作予定の複数のセグメントメタデータが「順序型」であるか否かは、データベース１２０から取得したルール情報によって判定できる。例えば、入力された番組構成情報の中で、任意の打順の打者として登録された選手の打席に関するセグメントメタデータは、ルール情報に基づいて順序型であると判断される（つまり、打順が判れば、各イニングの打者の打席に関するセグメントメタデータの序列は自動的に決定される）。一方、例えば、任意の選手が打ったホームランに関わるセグメントメタデータは、予めその発生を予測することができないので、「イベント型」セグメントメタデータとして管理される。
【００３２】
次に、「順序型」と分類されたセグメントメタデータの個別の制作担当者への割り当ては、データベース１２０から取得した過去の野球番組のメタデータ制作履歴情報に基づいて行うことができる。例えば、過去にどの制作担当者がどのような種類のセグメントメタデータの制作または確認・修正を行ったか、更にそれらの作業にどの程度の時間を要したかなどが把握できるので、それらの情報に応じて、最も効率の良い割り当て方法（例えば、過去に割り当てた種類のセグメントメタデータはなるべく同じ担当者に割り当てるようにしたり、作業量が多いセグメントメタデータは過去に最も作業時間が短い担当者から順番に割り当てるように設定したりするなどの方法）を予め適切に設定しておけばよい。
【００３３】
次に、セグメントメタデータ制作管理部１００の通知部１０２は、ステップＳ１０９で割り当てが決定した順序型セグメントメタデータ（確認・修正セグメントメタデータを含む）と、ステップＳ１０２でイベント型セグメントメタデータと分類されたセグメントメタデータについて、そのリストを制作担当者ごとに該当するセグメントメタデータ制作・確認・修正端末２０へ通知する（ステップＳ１１０）。
【００３４】
次に、セグメントメタデータ制作管理部１００は、セグメントメタデータ制作・確認・修正端末２０よりの制作・確認・修正完了通知の受信有無を判断する（ステップＳ１１１）。完了通知を受信した場合、セグメントメタデータ制作管理部１００の担当割り当て部１０１は、再びステップＳ１０８に戻り、制作または確認・修正が完了したセグメントメタデータと制作中または確認・修正中のセグメントメタデータを除いた残りのセグメントメタデータについて再度割り当てを実行する。
【００３５】
次に、図４は、本発明の実施の形態におけるセグメントメタデータ制作・確認・修正端末の動作手順を示すフローチャートである。はじめに、セグメントメタデータ制作・確認・修正端末２０は、セグメントメタデータ制作管理サーバ１０から制作予定のセグメントメタデータを受信したか否かを判断し（ステップＳ２００）、受信した場合、表示部２００は、端末の画面上に順序型セグメントメタデータ、イベント型セグメントメタデータ、確認・修正セグメントメタデータを別々に表示する（ステップＳ２０１）。
【００３６】
図５は、セグメントメタデータ制作・確認・修正端末２０における画面表示を模式的に示す図である。図に示すように、セグメントメタデータは、制作担当予定の順序型セグメントメタデータ及び確認・修正セグメントメタデータと、制作担当者毎に分類されていないイベント型セグメントメタデータが別々に表示される。また、制作担当予定の順序型セグメントメタデータ、確認・修正セグメントメタデータは、制作者が制作または確認・修正すべきセグメントメタデータを容易に判断できるように、次に制作または確認・修正するセグメントメタデータが強調表示される（ステップＳ２０２）。
【００３７】
次に、セグメントメタデータ制作・確認・修正端末２０は、制作担当者がセグメントメタデータの制作または確認・修正作業を開始したか否かを判断する（ステップＳ２０３）。セグメントメタデータの制作または確認・修正を開始した場合、通知部２２０は、制作または確認・修正の開始通知をセグメントメタデータ制作管理サーバ１０へ通知する（ステップＳ２０４）。
【００３８】
また、セグメントメタデータ制作・確認・修正端末２０は、制作担当者が1つのセグメントメタデータの制作または確認・修正作業が完了したか否かを判断し（ステップＳ２０５）、完了した場合に通知部２２０は、制作または確認・修正作業の完了をセグメントメタデータ制作管理サーバ１０へ通知する（ステップＳ２０６）。
【００３９】
以上説明したように、本実施形態のセグメントメタデータ制作管理システムによれば、時系列で順番に制作できるセグメントメタデータを、過去の制作履歴情報に基づいて、設定された制作担当者に適切に割り当てることができるので、重複や欠落を生じることなく、複数のセグメントメタデータを複数の担当者で同時に（並行して）制作または確認・修正することができる。また、制作または確認・修正の完了通知を受信した後、制作済みまたは確認・修正済みのセグメントメタデータを除いた残りのセグメントメタデータを再割り当てすることにより、残りのセグメントメタデータを、順次、設定された制作担当者に適切に割り当てることができる。
【００４０】
尚、上記の実施の形態において、セグメントメタデータ制作に関する情報の入力は、セグメントメタデータ制作管理サーバ１０の入力部１３０にＬＡＮ３０を介して接続可能なセグメントメタデータ制作・確認・修正端末２０の入力部２１０から行うようにしてもかまわない。
【００４１】
また、上記の実施の形態において、入力された「番組の種別」がドラマやバラエティ番組などである場合、番組の台本など、番組の進行を把握できる情報であればどのような情報を「番組上のルール」情報として用いてもよい。
【産業上の利用可能性】
【００４２】
本発明は、作業の欠落や重複を生じることなく、効率的にセグメントメタデータの制作、確認・修正作業が行えるという効果を有し、放送される映像の区間に関する情報を記述したセグメントメタデータの制作を複数の制作者が分担して制作するセグメントメタデータ制作管理サーバ及びセグメントメタデータ制作システム等に有用である。
【図面の簡単な説明】
【００４３】
【図１】本発明の実施の形態におけるセグメントメタデータ制作システムの構成を示す図
【図２】本発明の実施の形態におけるセグメントメタデータ制作管理サーバの動作手順を示すフローチャート
【図３】過去の制作履歴情報を概念的に示す図
【図４】本発明の実施の形態におけるセグメントメタデータ制作・確認・修正端末の動作手順を示すフローチャート
【図５】セグメントメタデータ制作・確認・修正端末における画面表示を模式的に示す図
【符号の説明】
【００４４】
１０  セグメントメタデータ制作管理サーバ
２０  セグメントメタデータ制作・確認・修正端末
３０  ＬＡＮ
１００  セグメントメタデータ制作管理部
１０１  担当割り当て部
１０２  通知部
１１０  通信部
１２０  データベース
１３０  入力部
２００  表示部
２１０  入力部
２２０  通知部
【図１】
2007074376.tif 000003
【図２】
2007074376.tif 000004
【図３】
2007074376.tif 000005
【図４】
2007074376.tif 000006
【図５】
2007074376.tif 000007